(57)【要約】【課題】表示装置の種別に応じて、カラーマッチングにおける不要な調整を抑制する。【解決手段】コンピュータ装置２０に設けられた表示装置設定部２１は、表示装置３０の種別を表す種別情報を受け付ける入力受付部２１１と、入力受付部２１１が受け付けた種別情報に基づいて表示装置３０の色変換目標を設定する色変換目標設定部２１２と、表示装置３０を含む各種表示装置の種別情報とその基準特性とを対応付けた基準情報テーブルを記憶する基準情報記憶部２１３と、入力受付部２１１が受け付けた種別情報に対応する基準情報を基準情報記憶部２１３から取得する基準情報取得部２１４と、基準情報取得部２１４が取得した基準情報に基づいて表示装置３０における表示特性の調整対象を決定する調整対象決定部２１５とを備える。【選択図】図３
2014239399.tif 000002
【特許請求の範囲】
【請求項１】
画像を表示する表示装置の種別を表す種別情報を取得する種別取得手段と、
前記種別情報に基づいて、前記表示装置の表示設定に想定される基準を表す基準情報を取得する基準取得手段と、
前記基準情報に基づいて、前記表示装置の前記表示設定における調整の対象を決定する対象決定手段と
を含む表示装置の設定装置。
【請求項２】
前記基準取得手段は、前記基準情報として、前記表示装置の初期設定において想定される色温度の情報および輝度の情報を取得し、
前記対象決定手段は、前記色温度の情報および前記輝度の情報から前記調整の対象を決定すること
を特徴とする請求項１記載の表示装置の設定装置。
【請求項３】
前記種別情報に基づいて、入力される入力信号に色変換処理を施して前記表示装置に出力信号を出力する色変換処理における色変換の目標を決定する目標決定手段をさらに含むことを特徴とする請求項１または２記載の表示装置の設定装置。
【請求項４】
画像を表示する表示装置の種別を表す種別情報を取得するステップと、
前記種別情報に基づいて、前記表示装置の表示設定に想定される基準を表す基準情報を取得するステップと、
前記基準情報に基づいて、前記表示装置の前記表示設定における調整の対象を決定するステップと
を含む表示装置の設定方法。
【請求項５】
コンピュータに、
画像を表示する表示装置の種別を表す種別情報を取得する機能と、
前記種別情報に基づいて、前記表示装置の表示設定に想定される基準を表す基準情報を取得する機能と、
前記基準情報に基づいて、前記表示装置の前記表示設定における調整の対象を決定する機能と
を実現させるプログラム。
【発明の詳細な説明】
【技術分野】
【０００１】
本発明は、表示装置の設定装置、表示装置の設定方法およびプログラムに関する。
【背景技術】
【０００２】
公報記載の従来技術として、カラーモニタにおける階調再現特性、白色度等の測定、調整を行い、モニタプロファイルを作成するモニタプロファイル作成システムにおいて、測定対象となる接続されているモニタ（ＣＲＴカラーディスプレイ、液晶カラーディスプレイ、ノートパーソナルコンピュータディスプレイ等）の種類に応じて、モニタに表示する画像の色変換目標を異ならせるものが存在する（特許文献１参照）。
【０００３】
また、他の公報記載の従来技術として、カラーモニタのカラーマッチングを行う際に、カラーモニタに表示された画像の色等を測定する測定器の種類（接触型、非接触型等）に応じて、カラーマッチングにおいて目標とする輝度を変更するものが存在する（特許文献２参照）。
【先行技術文献】
【特許文献】
【０００４】
【特許文献１】特開２００５−２０８９８２号公報
【特許文献２】特開２００５−２５０２６５号公報
【発明の概要】
【発明が解決しようとする課題】
【０００５】
本発明は、表示装置の種別に応じて、カラーマッチングにおける不要な調整を抑制することを目的とする。
【課題を解決するための手段】
【０００６】
請求項１記載の発明は、画像を表示する表示装置の種別を表す種別情報を取得する種別取得手段と、前記種別情報に基づいて、前記表示装置の表示設定に想定される基準を表す基準情報を取得する基準取得手段と、前記基準情報に基づいて、前記表示装置の前記表示設定における調整の対象を決定する対象決定手段とを含む表示装置の設定装置である。
【０００７】
請求項２記載の発明は、前記基準取得手段は、前記基準情報として、前記表示装置の初期設定において想定される色温度の情報および輝度の情報を取得し、前記対象決定手段は、前記色温度の情報および前記輝度の情報から前記調整の対象を決定することを特徴とする請求項１記載の表示装置の設定装置である。
請求項３記載の発明は、前記種別情報に基づいて、入力される入力信号に色変換処理を施して前記表示装置に出力信号を出力する色変換処理における色変換の目標を決定する目標決定手段をさらに含むことを特徴とする請求項１または２記載の表示装置の設定装置である。
【０００８】
請求項４記載の発明は、画像を表示する表示装置の種別を表す種別情報を取得するステップと、前記種別情報に基づいて、前記表示装置の表示設定に想定される基準を表す基準情報を取得するステップと、前記基準情報に基づいて、前記表示装置の前記表示設定における調整の対象を決定するステップとを含む表示装置の設定方法である。
【０００９】
請求項５記載の発明は、コンピュータに、画像を表示する表示装置の種別を表す種別情報を取得する機能と、前記種別情報に基づいて、前記表示装置の表示設定に想定される基準を表す基準情報を取得する機能と、前記基準情報に基づいて、前記表示装置の前記表示設定における調整の対象を決定する機能とを実現させるプログラムである。
【発明の効果】
【００１０】
請求項１記載の発明によれば、本構成を有していない場合と比較して、表示装置の種別に応じて、カラーマッチングにおける不要な調整を抑制することができる。
請求項２記載の発明によれば、本構成を有していない場合と比較して、例えば輝度および色温度のうちの不要な調整を抑制することができる。
請求項３記載の発明によれば、本構成を有していない場合と比較して、色変換プロファイルの精度を向上させることができる。
請求項４記載の発明によれば、本構成を有していない場合と比較して、表示装置の種別に応じて、カラーマッチングにおける不要な調整を抑制することができる。
請求項５記載の発明によれば、本構成を有していない場合と比較して、表示装置の種別に応じて、カラーマッチングにおける不要な調整を抑制することができる。
【図面の簡単な説明】
【００１１】
【図１】本発明の実施の形態が適用される画像表示システムの構成の一例を示した図である。
【図２】コンピュータ装置のハードウェア構成を示した図である。
【図３】コンピュータ装置の機能構成例を示した図である。
【図４】表示装置のカラーマッチング動作における処理手順を示すフローチャートである。
【図５】基準情報テーブルの一例を示す図である。
【図６】パラメータテーブルの一例を示す図である。
【図７】種別情報の入力画面の一例を示す図である。
【発明を実施するための形態】
【００１２】
以下、添付図面を参照して、本発明の実施の形態について詳細に説明する。
図１は、本実施の形態が適用される画像表示システム１０の構成の一例を示した図である。
この画像表示システム１０は、表示のための画像データの作成等を行うコンピュータ装置２０と、コンピュータ装置２０で作成された画像データに基づく画像を表示画面に表示する表示装置３０と、コンピュータ装置２０に対する入力等を受け付ける入力装置４０とを備えている。そして、画像表示システム１０に設けられたコンピュータ装置２０は、他の機器と通信を行うためのネットワーク５０に接続されている。
【００１３】
この画像表示システム１０において、コンピュータ装置２０および表示装置３０はＤＶＩ（Digital Visual Interface）を介して接続されており、コンピュータ装置２０および入力装置４０はＵＳＢ（Universal Serial Bus）を介して接続されている。なお、コンピュータ装置２０および表示装置３０については、ＤＶＩに代えて、ＨＤＭＩ（High-Definition Multimedia Interface：登録商標）やDisplayPortを介して接続するようにしてもかまわない。
【００１４】
コンピュータ装置２０は、所謂汎用のパーソナルコンピュータ（ＰＣ）である。そして、コンピュータ装置２０は、ＯＳ（Operating System）の管理下において、各種アプリケーションソフトウェアを動作させることで、画像データの作成等を実行するようになっている。
【００１５】
また、表示装置３０は、例えばＰＣ用の液晶ディスプレイ、液晶テレビあるいはプロジェクタなど、加法混色にて画像を表示する機能を備えたもので構成される。したがって、表示装置３０における表示方式は、液晶方式に限定されるものではない。
【００１６】
さらに、入力装置４０としては、例えキーボード装置やマウス装置等が挙げられる。
【００１７】
なお、本実施の形態において、所謂ノートＰＣや所謂タブレット端末等の携帯型情報機器は、コンピュータ装置２０、表示装置３０および入力装置４０を内蔵する画像表示システム１０として把握することができる。
【００１８】
この画像表示システム１０では、例えば入力装置４０およびコンピュータ装置２０を用いて作成した画像データに基づく画像を、表示装置３０の表示画面３１（後述する図３参照）に表示させるようになっている。ここで、コンピュータ装置２０で動作するアプリケーションソフトウェアを用いて製品のデザイン等を行う場合には、表示装置３０における表示画面３１に、画像を正しい色で表示させることが要求される。このため、この画像表示システム１０では、表示装置３０の表示画面３１に表示させる画像の色を較正するカラーマッチング動作を実行できるようになっている。ここで、本実施の形態におけるカラーマッチング動作には、表示装置３０の色温度および輝度のそれぞれをハードウェアの設定を変更して目標とする大きさに色調整するハードウェアカラーマッチング動作と、コンピュータ装置２０での色変換処理に用いられる色変換プロファイルを、表示装置３０のデバイス特性に応じて作成するソフトウェアカラーマッチング動作とが含まれる。色変換プロファイルは、コンピュータ装置２０のビデオカード、ＯＳ、あるいはコンピュータ装置２０で使用するアプリケーションにおいて、色変換処理を実行する際に利用される。
【００１９】
図２は、コンピュータ装置２０のハードウェア構成を示した図である。
コンピュータ装置２０は、上述したようにパーソナルコンピュータ等により実現される。そして、コンピュータ装置２０は、演算手段であるＣＰＵ（Central Processing Unit）２０ａと、記憶手段であるメインメモリ２０ｂおよびＨＤＤ（Hard Disk Drive）２０ｃとを備える。ここで、ＣＰＵ２０ａは、ＯＳやアプリケーションソフトウェア等の各種プログラムを実行する。また、メインメモリ２０ｂは、各種プログラムやその実行に用いるデータ等を記憶する記憶領域であり、ＨＤＤ２０ｃは、各種プログラムに対する入力データや各種プログラムからの出力データ等を記憶する記憶領域である。さらに、コンピュータ装置２０は、入力装置４０や表示装置３０、そしてネットワーク５０を含む外部との通信を行うための通信インタフェース（以下、「通信Ｉ／Ｆ」と表記する）２０ｄを備えている。
【００２０】
なお、このプログラムに関する提供形態としては、予めＨＤＤ２０ｃに格納された状態にて提供され、メインメモリ２０ｂにロードされる形態がある。また、インターネット等のネットワーク５０（図１参照）を介してコンピュータ装置２０にプログラムが伝送され、通信Ｉ／Ｆ２０ｄを介してＨＤＤ２０ｃにインストールされ、メインメモリ２０ｂにロードされる形態がある。さらにまた、ＤＶＤ−ＲＯＭやフラッシュメモリ等の外部記録媒体からメインメモリ２０ｂにロードされる形態がある。
【００２１】
図３は、本実施の形態のコンピュータ装置２０の機能構成例を示した図である。
このコンピュータ装置２０は、表示装置３０に設けられた表示画面３１における表示条件の設定および表示装置３０における色変換目標の作成等を含む表示装置３０の設定を行う表示装置設定部２１と、表示装置設定部２１が設定した色変換目標を用いて、色変換において使用する色変換プロファイルを作成する色変換プロファイル作成部２２と、色変換プロファイル作成部２２が作成した色変換プロファイルを用いて、外部から入力されてくる色信号（ＲＧＢ）に色変換処理を施し、変換後の色信号（Ｒ’Ｇ’Ｂ‘）を表示装置３０に向けて出力する色変換部２３とを有している。
【００２２】
これらのうち、表示装置設定部２１は、入力装置４０等を介して入力されてくる、表示装置３０の種別を表す種別情報を受け付ける入力受付部２１１と、入力受付部２１１が受け付けた種別情報に基づいて表示装置３０の色変換目標を設定する色変換目標設定部２１２と、表示装置３０を含む各種表示装置の種別情報とその基準特性とを対応付けた基準情報テーブル（詳細は後述する）を記憶する基準情報記憶部２１３と、入力受付部２１１が受け付けた種別情報に対応する基準情報を基準情報記憶部２１３から取得する基準情報取得部２１４と、基準情報取得部２１４が取得した基準情報に基づいて表示装置３０における表示特性（表示設定）の調整対象を決定する調整対象決定部２１５とを備えている。ここで、本実施の形態では、入力受付部２１１が種別取得手段として、基準情報取得部２１４が基準取得手段として、調整対象決定部２１５が対象決定手段として、色変換目標設定部２１２が目標決定手段として、それぞれ機能している。なお、種別情報、基準情報および調整対象の詳細については後述する。
【００２３】
次に、本実施の形態の画像表示システム１０における表示装置３０のカラーマッチング動作について、詳細に説明を行う。なお、ここでは、表示画面３１に表示する白の色温度の目標が６５００Ｋであり、表示画面３１に表示する白の輝度の目標が１００ｃｄ／ｍ２であるものとする。
【００２４】
図４は、表示装置３０のカラーマッチング動作における処理手順を示すフローチャートである。
この処理においては、まず、コンピュータ装置２０の表示装置設定部２１に設けられた入力受付部２１１が、コンピュータ装置２０に接続されている表示装置３０の種別情報についての入力を受け付ける（ステップ１１０）。次に、コンピュータ装置２０の表示装置設定部２１に設けられた基準情報取得部２１４が、入力受付部２１１が受け付けた種別情報に基づき、基準情報記憶部２１３に記憶されている基準情報テーブルから、種別情報に対応する基準情報を取得する（ステップ１２０）。また、コンピュータ装置２０の表示装置設定部２１に設けられた色変換目標設定部２１２が、入力受付部２１１が受け付けた種別情報に基づいて、表示装置３０の色変換目標を設定する（ステップ１３０）。
【００２５】
次いで、コンピュータ装置２０の表示装置設定部２１に設けられた調整対象決定部２１５が、基準情報取得部２１４が取得した基準情報に基づき、表示装置３０における表示特性の調整対象を決定する（ステップ１４０）。なお、ステップ１４０では、調整対象の有無を決定するとともに、調整対象があると決定した場合にはその調整対象となる特性（１または複数）を決定する。
【００２６】
そして、調整対象決定部２１５は、ステップ１４０において調整対象があると決定したか否かを判断する（ステップ１５０）。ステップ１５０において肯定の判断（ＹＥＳ）を行った場合、表示装置３０において、ステップ１４０で決定された調整対象についての調整動作が実行され（ステップ１６０）、後述するステップ１７０へと進む。一方、ステップ１５０において否定の判断（ＮＯ）を行った場合は、そのままステップ１７０に進む。
【００２７】
そして、色変換プロファイル作成部２２が、表示装置設定部２１における色変換目標設定部２１２から取得した色変換目標に基づき、色変換部２３で用いる色変換プロファイルを作成し（ステップ１７０）、カラーマッチング動作を完了する。
【００２８】
では、上述したカラーマッチング動作における処理の内容について、具体例を挙げて説明する。
図５は、コンピュータ装置２０の表示装置設定部２１に設けられた基準情報記憶部２１３に記憶される基準情報テーブルの一例を示す図である。図５に示す基本情報テーブルは、表示装置３０を含む複数の表示デバイスの種別すなわち種別情報と、各表示デバイスに想定される特性すなわち基準情報とを対応付けたものとなっている。なお、この例において、表示デバイスの種別は３つ（ＴｙｐｅＡ、ＴｙｐｅＢおよびＴｙｐｅＣ）であり、表示デバイスの特性は３つ（白の輝度、白の色温度および色再現域）である。
【００２９】
ここで、種別情報には、表示デバイスの種別（表示方式や用途）を表す情報や、表示デバイスに固有な情報（製造者、発売年度、表示パネルの種類、製造箇所）などが含まれる。
また、基準情報には、それぞれの表示デバイスの初期設定における、輝度、色温度、階調特性、黒特性、グレーバランスなどが含まれる。一般に、表示デバイスの種別が同じであれば、例えば製造者等が異なっていても、その初期設定は似たような特性であることが多い。例えばＰＣ用として販売されている単体の液晶モニタにおいては、色温度の初期設定が６５００Ｋ程度とされるものが多く、液晶テレビにおいては、色温度の初期設定が６５００Ｋよりも高い８０００Ｋ〜９０００Ｋ程度とされるものが多い。
【００３０】
この例において、まず、「ＴｙｐｅＡ」については、白の輝度が「通常」（例えば１００ｃｄ／ｍ２）、白の色温度が「ニュートラル」（例えば６５００Ｋ）、色再現域が「ｓＲＧＢと同等レベル」となっている。また、「ＴｙｐｅＢ」については、白の輝度が「通常よりも明るい」（例えば１４０ｃｄ／ｍ２）、白の色温度が「ニュートラルよりも高い（青い）」（例えば９０００Ｋ）、色再現域が「ｓＲＧＢよりも広い」となっている。さらに、「ＴｙｐｅＣ」については、白の輝度が「通常よりも暗い」（例えば６０ｃｄ／ｍ２）、白の色温度が「ニュートラルよりも低い（赤い）」（例えば４５００Ｋ）、色再現域が「ｓＲＧＢよりも狭い」となっている。
【００３１】
なお、この例において、「ＴｙｐｅＡ」はＰＣ用の液晶モニタを、「ＴｙｐｅＢ」は液晶テレビを、「ＴｙｐｅＣ」は携帯型情報機器を、それぞれ想定したものである。
【００３２】
また、図６は、表示装置３０を含む複数の表示デバイスの種別（種別情報）と、図４のステップ１３０において設定される色変換目標および図４のステップ１４０において決定される調整対象とを対応付けたパラメータテーブルの一例を示す図である。なお、この例において、表示デバイスの種別は図５と同じく３つ（ＴｙｐｅＡ、ＴｙｐｅＢおよびＴｙｐｅＣ）となる。
【００３３】
この例においては、「ＴｙｐｅＡ」、「ＴｙｐｅＢ」および「ＴｙｐｅＣ」の何れにおいても、色変換目標が「ｓＲＧＢ」となる。すなわち、表示デバイスの種別に関わらず、共通の色空間（ここではｓＲＧＢ）が色変換目標として設定されることになる。
【００３４】
また、この例において、「ＴｙｐｅＡ」については、調整対象が「なし」となる。また、「ＴｙｐｅＢ」については、「輝度および色温度」となる。さらに、「ＴｙｐｅＣ」については、調整対象が「輝度」となる。
【００３５】
例えばステップ１１０において、種別情報として「ＴｙｐｅＡ」が入力されてきた場合は、ステップ１３０において色変換目標が「ｓＲＧＢ」に設定されるとともに、ステップ１４０において調整対象が「なし」に設定される。したがって、ステップ１６０における調整は行われないまま、ステップ１７０において色変換プロファイルが作成される。
【００３６】
ＴｙｐｅＡのような表示デバイス（ＰＣ用の液晶モニタ）の場合には、表示特性（白の輝度および白の色温度）の初期設定が、カラーマネージメントを考慮していることが多い。そこで、この場合には、これら白の輝度および白の色温度の調整をいじくり回すことで時間を無駄に浪費することを抑制するため、これらの調整を行うことなく、色変換プロファイルを作成する。
【００３７】
また、例えばステップ１１０において、種別情報として「ＴｙｐｅＢ」が入力されてきた場合は、ステップ１３０において色変換目標が「ｓＲＧＢ」に設定されるとともに、ステップ１４０において調整対象が「輝度および色温度」に設定される。したがって、ステップ１６０において輝度の調整および色温度の調整が行われた後、ステップ１７０において色変換プロファイルが作成される。
【００３８】
ＴｙｐｅＢのような表示デバイス（液晶テレビ）の場合には、表示特性の初期設定が、カラーマネージメントを考慮せず、例えば画像のメリハリ等を強調することを目的としていることが多い。そこで、この場合には、白の輝度および白の色温度の両者を調整した後に、色変換プロファイルを作成する。
【００３９】
さらに、例えばステップ１１０において、種別情報として「ＴｙｐｅＣ」が入力されてきた場合は、ステップ１３０において色変換目標が「ｓＲＧＢ」に設定されるとともに、ステップ１４０において調整対象が「輝度」に設定される。したがって、ステップ１６０において輝度の調整が行われた後、ステップ１７０において色変換プロファイルが作成される。
【００４０】
ＴｙｐｅＣのような表示デバイス（携帯型情報機器）の場合には、表示特性の初期設定が、カラーマネージメントを考慮せず、例えばバッテリーの長寿命化等を目的としていることが多い。また、ＴｙｐｅＣのような表示デバイスの場合には、表示特性の調整を、広い範囲で行うことが困難なことも多い。そこでこの場合には、白の色温度については調整を行わず、白の輝度のみを調整した後に、色変換プロファイルを作成する。
【００４１】
なお、上述した説明では、ステップ１１０において種別情報（ＴｙｐｅＡ、ＴｙｐｅＢ、ＴｙｐｅＣ）を直接入力するようにしていたが、これに限られるものではない。
図７は、例えばステップ１１０において表示装置３０の表示画面３１に表示される種別情報の入力画面の一例を示す図である。
この入力画面は、表示デバイスの種別の入力を受け付ける種別設定受付領域３０１と、種別設定が完了した後に入力の受け付けが可能となる詳細設定受付領域３０２とを有している。この例において、種別設定受付領域３０１には、選択肢として、「液晶モニタ（単体）」、「液晶テレビ」、「プラズマテレビ」、「プロジェクタ」、「ノートＰＣ」、「タブレット端末」、「その他」が掲載されており、ユーザが、図示しないポインタを使用して各項目の左側にあるボタンをクリックすることで、設定を受け付けるようになっている。また、詳細設定受付領域３０２には、項目として「メーカ名」、「型番」、「発売年度」、「パネル情報」が掲載されており、ユーザが、図示しないポインタを使用して各項目の右側にあるプロダウンメニューをクリックすることで、さらに選択可能な項目が出現し、これらの中からの選択を受け付けるようになっている。
【００４２】
このようなユーザインタフェースを採用することで、ユーザによる種別情報の設定ミスを抑制することが可能になる。
【００４３】
なお、本実施の形態では、コンピュータ装置２０の表示装置設定部２１に設けられた基準情報記憶部２１３（ＨＤＤ２０ｃ）に、基準情報テーブルを記憶させるようにしていたが、これに限られるものではない。例えば、ネットワーク５０を介してコンピュータ装置２０と接続されるデータベースサーバ（図示せず）を基準情報記憶部２１３として機能させ、カラーマッチング動作を実行する際に、このデータベースサーバから基準情報を取得するようにしてもよい。
【００４４】
また、本実施の形態では、表示装置３０と接続されたコンピュータ装置２０に色変換部２３を内蔵させるようにしていたが、これに限られるものではない。例えば表示装置３０に色変換部２３を内蔵させてもよいし、コンピュータ装置２０と表示装置３０との間に色変換部２３を内蔵する別の機器（通信ケーブル等を含む）を配置するようにしてもかまわない。また、コンピュータ装置２０に色変換部２３を内蔵させる態様にあっては、ＯＳに組み込むもの、ＯＳ上で動作するアプリケーションソフトウェアに組み込むもの、ビデオカードに組み込むもの、等のいずれであってもかまわない。
【００４５】
さらに、本実施の形態では、入力装置４０等を介して表示装置３０の種別情報の入力を受け付けていたが、これに限られるものではない。例えば、表示装置３０から出力されるＥＤＩＤ（Extended Display Identification Data）を取得し、これを種別情報として利用することも可能である。
【符号の説明】
【００４６】
１０…画像表示システム、２０…コンピュータ装置、２０ａ…ＣＰＵ、２０ｂ…メインメモリ、２０ｃ…ＨＤＤ、２０ｄ…通信Ｉ／Ｆ、２１…表示装置設定部、２２…色変換プロファイル作成部、２３…色変換部、３０…表示装置、３１…表示画面、４０…入力装置、５０…ネットワーク、２１１…入力受付部、２１２…色変換目標設定部、２１３…基準情報記憶部、２１４…基準情報取得部、２１５…調整対象決定部、３０１…種別設定受付領域、３０２…詳細設定受付領域
【図１】
2014239399.tif 000003
【図２】
2014239399.tif 000004
【図３】
2014239399.tif 000005
【図４】
2014239399.tif 000006
【図５】
2014239399.tif 000007
【図６】
2014239399.tif 000008
【図７】
2014239399.tif 000009